【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
乱数値を取得するための普通図柄作動スイッチと、
該普通図柄作動スイッチに遊技球が検出されたことにより取得した前記乱数値を記憶する普通図柄保留手段と、
該普通図柄保留手段により記憶された前記乱数値によって当否を抽選する普通図柄抽選手段と、
該普通図柄抽選手段による抽選結果を普通図柄の変動を経て確定表示することで報知する普通図柄表示装置と、
前記普通図柄抽選手段による抽選が当選した場合に所定入賞口が所定回数開放される普図当り遊技状態に移行させる普図当り遊技実行手段と、
複数種類の乱数値を取得するための始動口スイッチと、
該始動口スイッチに遊技球が検出されたことにより取得した前記複数種類の乱数値を記憶する特別図柄保留手段と、
該特別図柄保留手段により記憶された前記複数種類の乱数値の一つである当否乱数によって当否を抽選する特別図柄抽選手段と、
該特別図柄抽選手段による前記特別図柄保留手段に記憶された前記当否乱数の抽選結果を特別図柄の変動を経て確定表示することで報知する特別図柄表示装置と、
前記特別図柄抽選手段による抽選が当選した場合に大入賞口が所定回数開放される特別遊技状態に移行させる特別遊技実行手段と、
前記特別遊技状態の終了後に前記普通図柄又は／及び前記特別図柄の変動時間が短縮された変動時間短縮状態に移行させる変動時間短縮手段と、
前記特別遊技状態の終了後に前記所定入賞口の開放時間が長い開放延長状態に移行させる開放延長手段と、
前記特別遊技状態の終了後に前記特別図柄抽選手段による当否抽選で当選する確率が高く設定された高確率遊技状態に移行させる確率変動手段と、
前記普通図柄抽選手段、前記普図当り遊技実行手段、前記特別図柄抽選手段、前記特別遊技実行手段、前記変動時間短縮手段、前記開放延長手段、前記確率変動手段とを備えた主制御装置と、
該主制御装置から送られる前記特別図柄抽選手段による抽選結果を含む表示制御コマンドをもとに演出図柄表示装置にて前記特別図柄の擬似演出を表示させるための制御を行うサブ制御装置と、
を備えた弾球遊技機において、
前記始動口スイッチによって検出された遊技球（以後、用済み球と称する）が進入可能な先読み演出役物と、
該先読み演出役物内に進入した前記用済み球の貯留及び貯留の解除を行う貯留装置と、
該貯留装置の下流側に設けられた特定領域及び非特定領域と、
該特定領域に進入した前記用済み球を検出する特定領域検出手段と、
前記主制御装置に、前記特別図柄抽選手段による当否の抽選よりも先に前記特別図柄保留手段に記憶された前記当否乱数値が特定の値であるか否かを確認する当否乱数確認手段と、該当否乱数確認手段によって確認された当否乱数値又は前記当否乱数確認手段の確認結果、を示す先読み演出許可信号を前記サブ制御装置に送信する先読み演出許可信号送信手段と、を備え、
前記サブ制御装置に、前記当否乱数確認手段に確認された前記当否乱数値が前記特別図柄抽選手段による当否の抽選が行われる前に、前記確認された当該当否乱数値についての演出（以後、先読み演出と称する）を行うか否かを決定する先読み演出実行決定手段と、前記先読み演出を前記先読み演出役物を利用した演出にするか否かを決定する先読み演出内容決定手段と、を備え、
前記先読み演出役物を利用した先読み演出は、前記先読み演出実行決定手段にて前記先読み演出を行うことが決定された前記当否乱数値が前記特別図柄保留手段に記憶される以前から前記特別図柄保留手段に記憶されている前記当否乱数値についての前記特別図柄抽選手段による当否抽選の結果を示す特別図柄の変動開始又は変動中に前記貯留装置による前記用済み球の貯留を開始し、前記先読み演出実行決定手段にて前記先読み演出を行うことが決定された前記当否乱数値についての前記特別図柄抽選手段による当否抽選の結果を示す特別図柄の変動中に前記貯留装置による貯留を解除して貯留されている前記用済み球を流出させ、流出された前記用済み球が前記特定領域検出手段に検出されると、検出されたことを前記演出図柄表示装置により報知するようにしたことを特徴とする弾球遊技機。
【請求項２】
請求項１記載の弾球遊技機において、
前記始動口スイッチは、前記普通図柄抽選手段による抽選が当選した場合に開放される前記所定入賞口に入球した遊技球を検出するようにし、
前記先読み演出内容決定手段は、少なくとも現在の遊技状態が前記開放延長状態であることを条件に前記先読み演出役物を利用した先読み演出を行うと決定することを特徴とする弾球遊技機。
【請求項３】
請求項１記載の弾球遊技機において、
前記始動口スイッチは、入球率が変化しない入賞口に入球した遊技球を検出する第１始動口スイッチと、前記普通図柄抽選手段による抽選が当選した場合に開放される前記所定入賞口に入球した遊技球を検出する第２始動口スイッチとがあり、
前記特別図柄保留手段には、前記第１始動口スイッチに遊技球が検出されたことにより取得した前記複数種類の乱数値を記憶する第１特別図柄保留手段と、前記第２始動口スイッチに遊技球が検出されたことにより取得した前記複数種類の乱数値を記憶する第２特別図柄保留手段とがあり、
前記特別図柄表示装置には、前記特別図柄抽選手段による前記第１特別図柄保留手段に記憶された前記当否乱数値の抽選結果を第１特別図柄の変動を経て確定表示することで報知する第１特別図柄表示装置と、前記特別図柄抽選手段による前記第２特別図柄保留手段に記憶された前記当否乱数値の抽選結果を第２特別図柄の変動を経て確定表示することで報知する第２特別図柄表示装置とがあり、
前記第１特別図柄表示装置又は前記第２特別図柄表示装置にて特別図柄が変動している場合には他方の特別図柄表示装置にて特別図柄は変動させないようにするとともに前記特別図柄抽選手段は第１特別図柄保留手段及び第２特別図柄保留手段の双方に前記取得された当否乱数値が記憶されている場合には、前記第１特別図柄保留手段にて記憶されている当否乱数値よりも前記第２特別図柄保留手段にて記憶されている当否乱数値を優先して抽選するように設定し、
前記特別遊技状態には前記大入賞口の開放時間又は開放回数の異なる複数種類の特別遊技状態があり、前記第１特別図柄保留手段に記憶された前記当否乱数値が前記特別図柄抽選手段による抽選で当選した場合に行われる前記特別遊技よりも前記第２特別図柄保留手段に記憶された前記当否乱数値が前記特別図柄抽選手段による抽選で当選した場合に行われる前記特別遊技態のほうが、前記大入賞口の開放時間が長い又は前記大入賞口の開放回数が多い前記特別遊技が選択される確率を高く設定し、
前記先読み演出内容決定手段は、少なくとも前記先読み演出実行決定手段が演出を行うと決定した前記当否乱数値が前記第２始動口スイッチに遊技球が検出されたことにより取得されたものであることを条件に前記先読み演出役物を利用した先読み演出を行うと決定することを特徴とする弾球遊技機。
【請求項４】
請求項１記載の弾球遊技機において、
前記始動口スイッチにより入球した遊技球が検出されない入賞口に入球した遊技球を前記先読み演出役物に誘導する誘導通路と、
該誘導通路に、当該入賞口に入球した遊技球を前記先読み演出役物に進入不能にするか進入可能にするかを切り換える切換え手段とを備え、
前記先読み演出内容決定手段にて前記先読み演出役物を利用して先読み演出を行うと決定されると、前記先読み演出実行決定手段にて先読み演出を行うことが決定された前記当否乱数値が前記特別図柄保留手段に記憶される以前から前記特別図柄保留手段に記憶されている当否乱数値についての前記特別図柄抽選手段による当否抽選の結果を示す特別図柄の変動開始又は変動中に前記切換え手段を、前記先読み演出役物への進入不能な状態から進入可能な状態に切り換えるようにしたことを特徴とする弾球遊技機。
【手続補正２】
【補正対象書類名】明細書
【補正対象項目名】０００６
【補正方法】変更
【補正の内容】
【０００６】
請求項１に記載の発明は、
乱数値を取得するための普通図柄作動スイッチと、
該普通図柄作動スイッチに遊技球が検出されたことにより取得した前記乱数値を記憶する普通図柄保留手段と、
該普通図柄保留手段により記憶された前記乱数値によって当否を抽選する普通図柄抽選手段と、
該普通図柄抽選手段による抽選結果を普通図柄の変動を経て確定表示することで報知する普通図柄表示装置と、
前記普通図柄抽選手段による抽選が当選した場合に所定入賞口が所定回数開放される普図当り遊技状態に移行させる普図当り遊技実行手段と、
複数種類の乱数値を取得するための始動口スイッチと、
該始動口スイッチに遊技球が検出されたことにより取得した前記複数種類の乱数値を記憶する特別図柄保留手段と、
該特別図柄保留手段により記憶された前記複数種類の乱数値の一つである当否乱数によって当否を抽選する特別図柄抽選手段と、
該特別図柄抽選手段による前記特別図柄保留手段に記憶された前記当否乱数の抽選結果を特別図柄の変動を経て確定表示することで報知する特別図柄表示装置と、
前記特別図柄抽選手段による抽選が当選した場合に大入賞口が所定回数開放される特別遊技状態に移行させる特別遊技実行手段と、
前記特別遊技状態の終了後に前記普通図柄又は／及び前記特別図柄の変動時間が短縮された変動時間短縮状態に移行させる変動時間短縮手段と、
前記特別遊技状態の終了後に前記所定入賞口の開放時間が長い開放延長状態に移行させる開放延長手段と、
前記特別遊技状態の終了後に前記特別図柄抽選手段による当否抽選で当選する確率が高く設定された高確率遊技状態に移行させる確率変動手段と、
前記普通図柄抽選手段、前記普図当り遊技実行手段、前記特別図柄抽選手段、前記特別遊技実行手段、前記変動時間短縮手段、前記開放延長手段、前記確率変動手段とを備えた主制御装置と、
該主制御装置から送られる前記特別図柄抽選手段による抽選結果を含む表示制御コマンドをもとに演出図柄表示装置にて前記特別図柄の擬似演出を表示させるための制御を行うサブ制御装置と、
を備えた弾球遊技機において、
前記始動口スイッチによって検出された遊技球（以後、用済み球と称する）が進入可能な先読み演出役物と、
該先読み演出役物内に進入した前記用済み球の貯留及び貯留の解除を行う貯留装置と、
該貯留装置の下流側に設けられた特定領域及び非特定領域と、
該特定領域に進入した前記用済み球を検出する特定領域検出手段と、
前記主制御装置に、前記特別図柄抽選手段による当否の抽選よりも先に前記特別図柄保留手段に記憶された前記当否乱数値が特定の値であるか否かを確認する当否乱数確認手段と、該当否乱数確認手段によって確認された当否乱数値又は前記当否乱数確認手段の確認結果、を示す先読み演出許可信号を前記サブ制御装置に送信する先読み演出許可信号送信手段と、を備え、
前記サブ制御装置に、前記当否乱数確認手段に確認された前記当否乱数値が前記特別図柄抽選手段による当否の抽選が行われる前に、前記確認された当該当否乱数値についての演出（以後、先読み演出と称する）を行うか否かを決定する先読み演出実行決定手段と、前記先読み演出を前記先読み演出役物を利用した演出にするか否かを決定する先読み演出内容決定手段と、を備え、
前記先読み演出役物を利用した先読み演出は、前記先読み演出実行決定手段にて前記先読み演出を行うことが決定された前記当否乱数値が前記特別図柄保留手段に記憶される以前から前記特別図柄保留手段に記憶されている前記当否乱数値についての前記特別図柄抽選手段による当否抽選の結果を示す特別図柄の変動開始又は変動中に前記貯留装置による前記用済み球の貯留を開始し、前記先読み演出実行決定手段にて前記先読み演出を行うことが決定された前記当否乱数値についての前記特別図柄抽選手段による当否抽選の結果を示す特別図柄の変動中に前記貯留装置による貯留を解除して貯留されている前記用済み球を流出させ、流出された前記用済み球が前記特定領域検出手段に検出されると、検出されたことを前記演出図柄表示装置により報知するようにしたことを特徴とする弾球遊技機である。
【手続補正３】
【補正対象書類名】明細書
【補正対象項目名】０００７
【補正方法】変更
【補正の内容】
【０００７】
請求項１記載の発明は、普通図柄作動スイッチ、始動口スイッチが弾球遊技機の全体の制御を司る主制御装置に接続されており、それぞれの検出手段から遊技球を検出したことを示す信号が主制御装置に入力される。主制御装置は遊技球を検出した信号が検出手段から入力されると、入力されたことに起因して取得した乱数の値を一旦記憶し、該記憶した乱数の値により当否判定を行う。また、普通図柄表示装置、特別図柄表示装置も主制御装置に接続されており、それぞれの図柄（普通図柄、特別図柄）を表示させる。
特別図柄始動手段が遊技球を検出した際に取得される複数の乱数値は当否乱数（大当り判定用乱数）の値ほか、特別遊技状態の種類を決定するための大当り図柄決定用乱数の値、遊技者に大当り（特別遊技）を期待させるためのリーチ演出を行うか否かを決定するためのリーチ判定用乱数の値、大当り判定用乱数、リーチ判定用乱数と共に特別図柄の変動時間を決定するための変動パターン決定用乱数の値などが考えられる。
特別遊技状態の種類としては、大入賞口の開放回数（ラウンド回数）の違い、大入賞口の開放時間の違い、大当り遊技（特別遊技）終了後に変化する遊技状態（高確率遊技状態、時間短縮状態、開放延長状態、通常遊技状態）の違い、及びこれらの組み合わせなどによって区別される。なお、高確率遊技状態に移行するときには同時に時間短縮状態、開放延長状態にも移行するのが好適であるが、高確率遊技状態が終了するときには時間短縮状態、開放延長状態も同時に終了する構成でもよいし、高確率遊技状態が終了しても時間短縮状態、開放延長状態は継続する構成にしてもよい。なお、高確率遊技状態時では特別図柄抽選手段による当否抽選で当選する確率が高くなるだけでなく普通図柄抽選手段による当否抽選で当選する確率も高くなるようにしてもよい。
また、高確率遊技状態に移行しなくても時間短縮状態に移行すれば同時に開放延長状態に移行し、時間短縮状態が終了すれば開放延長状態も終了する構成が好ましい。このような大当り遊技（特別遊技）終了後に移行する各種状態の違いも大当り遊技（特別遊技）の種類の違いとし、これらを含む大当り遊技（特別遊技）の種類は確定表示される特別図柄（大当り図柄）にて決定する構成が好ましい。
主制御装置は特別図柄抽選手段による抽選結果、特別図柄の変動時間を示す情報が含まれた表示制御コマンドをサブ制御装置に送信し、表示制御コマンドを受信したサブ制御装置は特別図柄の擬似演出を特別図柄の変動時間と同じ複数の擬似演出の中より一つ選択して演出図柄表示装置にて選んだ擬似演出（擬似図柄）を表示させる。
【手続補正４】
【補正対象書類名】明細書
【補正対象項目名】０００８
【補正方法】変更
【補正の内容】
【０００８】
また、請求項１記載の発明は始動口スイッチによって検出された遊技球が進入可能な先読み演出役物を備えている。始動口スイッチによって検出された遊技球は検出に起因して複数種類の乱数値が取得されるので、検出後の遊技球は役目が終了したことになり、通常はパチンコ遊技機の裏に取り込まれる。本発明は、その役目が終了した遊技球（用済み球）が進入可能な先読み演出役物を備えている。なお、始動口スイッチに検出された全ての遊技球が先読み演出役物に進入する構成でもよいし、始動口スイッチに検出された遊技球のうち所定条件に一致した（クリアした）遊技球のみ先読み演出役物に進入することができる構成にしてもよい。
先読み演出役物内には先読み演出役物に進入した用済み球を貯留及び貯留を解除する貯留装置が設けられているほか、貯留装置の下流側に貯留装置が解除されたことで流出された用済み球が進入する特定領域及び非特定領域が設けられている。なお先読み演出役物に進入した用済み球は必ず最終的には特定領域か非特定領域に進入する構成になっている。また、貯留装置と特定領域及び非特定領域の間に振分装置を設けて、貯留装置から流出した用済み球が振分装置により特定領域か非特定領域に振分けられる構成にしてもよい。また、特定領域には進入した遊技球を検出する特定領域検出手段が設けられているが、非特定領域にも進入した遊技球を検出する非特定領域検出手段を設けている。
また、主制御装置には、特別図柄保留手段に記憶された乱数値（当否乱数値である大当り判定用乱数値）における特別図柄抽選手段による当否の抽選よりも先に特別図柄保留手段に記憶された複数の乱数値のうち少なくとも当否乱数値（大当り判定用乱数値）が特定の値（例えば大当りになると定められた値）であるか否かを確認する当否乱数確認手段と、当否乱数確認手段によって確認された当否乱数値又は当否乱数確認手段の確認結果を示す先読み演出許可信号をサブ制御装置に送信する先読み演出許可信号送信手段とが備えられている。なお、当否乱数確認手段によって確認する乱数は大当り判定用乱数値のほか、前記した大当り図柄決定用乱数値、リーチ判定用乱数値、変動パターン決定用乱数値なども確認する構成にしてもよい。また、当否乱数確認手段は現在の遊技状態（通常確率遊技状態又は高確率遊技状態）や、確認した大当り判定用乱数が抽選されるときの遊技状態（通常確率遊技状態又は高確率遊技状態）も参考に確認する構成が好適である。
また、当否乱数確認手段にて、大当り判定用乱数値以外の記憶された乱数値（大当り図柄決定用乱数値、リーチ判定用乱数値、変動パターン決定用乱数値）も確認する構成にした場合には、当然にそれらの値又はそれらの確認結果を示す内容を先読み演出許可信号に含ませる。
なお、特別図柄抽選手段による当否の抽選時期は、抽選結果を示す特別図柄の変動開始直前であり、当否乱数確認手段の確認時期は取得した乱数値が特別図柄保留手段によって記憶された直後である。よって、主制御装置は表示制御コマンド（当否乱数確認手段が確認した当否乱数値についての特別図柄抽選手段による抽選結果が含まれた表示制御コマンド）よりも先に先読み演出許可信号をサブ制御装置に送信することになる。
なお、当否乱数確認手段の確認は特別図柄保留手段によって取得された乱数値が記憶される毎に必ず行われるのが好適であるが、先読み演出許可信号送信手段による先読み演出許可信号の送信は当否乱数確認手段が確認した毎に必ず行う構成にしなくてもよい。つまり、当否乱数確認手段の確認結果に応じて先読み演出許可信号を送る場合と送らない場合を設けてもよい。
また、サブ制御装置には、先読み許可信号をもとに当否乱数確認手段が確認した当否乱数値についての演出を当否乱数確認手段が確認した当否乱数値が特別図柄抽選手段によって当否の抽選を行う前に行うか否かを決定する先読み演出実行決定手段と、先読み演出実行決定手段が前記演出（先読み演出）を行うと決定した後に先読み演出を先読み演出役物を利用した演出にするか否かを決定する先読み演出内容決定手段を備えている。
先読み演出実行決定手段は当否乱数確認手段の確認結果だけでなく現在、特別図柄保留手段に何個の乱数値（大当り判定用乱数値）が記憶されているか否か、既に先読み演出が行われているか否かなども確認して先読み演出を行うか否かを決定する構成が好適である。また、先読み演出内容決定手段は現在の遊技状態を確認して先読み演出役物を利用した先読み演出を行うか否かを決定する構成が好適である。
なお、先読み演出役物を利用しない先読み演出としては、演出図柄表示装置による表示演出や特別図柄保留手段によって記憶されている乱数値の数を示す保留記憶表示装置による演出、遊技球の動きに影響を与えない可動役物を利用した演出などが考えられる。つまり、先読み演出内容決定手段が先読み演出役物を利用しないと決定した場合には、上記した先読み演出の種類の中より先読み演出が決定される。
先読み演出役物を利用した先読み演出は、先読み演出実行決定手段にて先読み演出を行うことが決定された当否乱数値が特別図柄保留手段に記憶される以前から特別図柄保留手段に記憶されている当否乱数値についての特別図柄抽選手段による当否抽選の結果を示す特別図柄の変動開始時又は変動中に貯留装置によって特別図柄始動手段によって検出された用済み球の貯留を開始する。よって、それ以前は用済み球は貯留装置に貯留されない構成が好適である。そして、先読み演出実行決定手段によって先読み演出を行うことが決定された当否乱数値についての特別図柄抽選手段による当否抽選の結果を示す特別図柄の変動中に貯留装置による貯留を解除して貯留されている用済み球を流出させる。流出された用済み球が特定領域検出手段に検出されると検出されたことが演出図柄表示装置にて報知される。なお、特定領域検出手段にて検出された用済み球の数を演出図柄表示装置にて表示させる構成にすれば、より趣向性が増す。
なお、非特定領域に用済み球が入球した場合には、何も報知しない構成が好適である。
また、特定領域と非特定領域の位置を遊技状態に応じて変更する構成にしてもよい。
なお、用済み球が特定領域に入球しても、特別図柄抽選に影響を及ぼさないほか、パチンコ遊技機の遊技状態（遊技者にとって有利又は不利な遊技状態）に何も影響を及ぼさない構成になっている。
【手続補正５】
【補正対象書類名】明細書
【補正対象項目名】０００９
【補正方法】変更
【補正の内容】
【０００９】
請求項２に記載の発明は、
請求項１記載の弾球遊技機において、
前記始動口スイッチは、前記普通図柄抽選手段による抽選が当選した場合に開放される前記所定入賞口に入球した遊技球を検出するようにし、
前記先読み演出内容決定手段は、少なくとも現在の遊技状態が前記開放延長状態であることを条件に前記先読み演出役物を利用した先読み演出を行うと決定することを特徴とする弾球遊技機である。
【手続補正６】
【補正対象書類名】明細書
【補正対象項目名】００１０
【補正方法】変更
【補正の内容】
【００１０】
請求項３に記載の発明は、
請求項１記載の弾球遊技機において、
前記始動口スイッチは、入球率が変化しない入賞口に入球した遊技球を検出する第１始動口スイッチと、前記普通図柄抽選手段による抽選が当選した場合に開放される前記所定入賞口に入球した遊技球を検出する第２始動口スイッチとがあり、
前記特別図柄保留手段には、前記第１始動口スイッチに遊技球が検出されたことにより取得した前記複数種類の乱数値を記憶する第１特別図柄保留手段と、前記第２始動口スイッチに遊技球が検出されたことにより取得した前記複数種類の乱数値を記憶する第２特別図柄保留手段とがあり、
前記特別図柄表示装置には、前記特別図柄抽選手段による前記第１特別図柄保留手段に記憶された前記当否乱数値の抽選結果を第１特別図柄の変動を経て確定表示することで報知する第１特別図柄表示装置と、前記特別図柄抽選手段による前記第２特別図柄保留手段に記憶された前記当否乱数値の抽選結果を第２特別図柄の変動を経て確定表示することで報知する第２特別図柄表示装置とがあり、
前記第１特別図柄表示装置又は前記第２特別図柄表示装置にて特別図柄が変動している場合には他方の特別図柄表示装置にて特別図柄は変動させないようにするとともに前記特別図柄抽選手段は第１特別図柄保留手段及び第２特別図柄保留手段の双方に前記取得された当否乱数値が記憶されている場合には、前記第１特別図柄保留手段にて記憶されている当否乱数値よりも前記第２特別図柄保留手段にて記憶されている当否乱数値を優先して抽選するように設定し、
前記特別遊技状態には前記大入賞口の開放時間又は開放回数の異なる複数種類の特別遊技状態があり、前記第１特別図柄保留手段に記憶された前記当否乱数値が前記特別図柄抽選手段による抽選で当選した場合に行われる前記特別遊技よりも前記第２特別図柄保留手段に記憶された前記当否乱数値が前記特別図柄抽選手段による抽選で当選した場合に行われる前記特別遊技態のほうが、前記大入賞口の開放時間が長い又は前記大入賞口の開放回数が多い前記特別遊技が選択される確率を高く設定し、
前記先読み演出内容決定手段は、少なくとも前記先読み演出実行決定手段が演出を行うと決定した前記当否乱数値が前記第２始動口スイッチに遊技球が検出されたことにより取得されたものであることを条件に前記先読み演出役物を利用した先読み演出を行うと決定することを特徴とする弾球遊技機である。
【手続補正７】
【補正対象書類名】明細書
【補正対象項目名】００１２
【補正方法】変更
【補正の内容】
【００１２】
請求項４に記載の発明は、
請求項１記載の弾球遊技機において、
前記始動口スイッチにより入球した遊技球が検出されない入賞口に入球した遊技球を前記先読み演出役物に誘導する誘導通路と、
該誘導通路に、当該入賞口に入球した遊技球を前記先読み演出役物に進入不能にするか進入可能にするかを切り換える切換え手段とを備え、
前記先読み演出内容決定手段にて前記先読み演出役物を利用して先読み演出を行うと決定されると、前記先読み演出実行決定手段にて先読み演出を行うことが決定された前記当否乱数値が前記特別図柄保留手段に記憶される以前から前記特別図柄保留手段に記憶されている当否乱数値についての前記特別図柄抽選手段による当否抽選の結果を示す特別図柄の変動開始又は変動中に前記切換え手段を、前記先読み演出役物への進入不能な状態から進入可能な状態に切り換えるようにしたことを特徴とする弾球遊技機である。
【手続補正８】
【補正対象書類名】明細書
【補正対象項目名】００１３
【補正方法】変更
【補正の内容】
【００１３】
請求項４に記載の発明は、先読み演出演出役物に進入可能な遊技球が始動口スイッチに検出された遊技球（つまり、始動口に入球した遊技球）だけでなく、入球したことで賞球のみが払い出される入賞口（乱数値を抽出しない入賞口）（俗に言う普通入賞口）からも進入可能な構成である。なお、普通入賞口にも賞球を払い出させるために入球を検出する検出センサーが設けられており、その検出センサーに検出された後の遊技球が先読み演出役物に進入する。つまり、普通入賞口に入球して先読み演出役物に進入する遊技球も用済み遊技球と言える（逆に言えば先読み演出役物は用済み遊技球のみが進入可能な役物であると言える。）。しかし、常に普通入賞口に入球した遊技球が先読み演出役物に進入できるわけではなく、普通入賞口に入球した遊技球が先読み演出役物に進入するための誘導路には、普通入賞口に入球した遊技球を先読み演出役物に誘導するか否かを切り換える切換え手段が設けられており、切換え手段が先読み演出役物に誘導しないように切り換えられていた場合には、普通入賞口に入球した遊技球は弾球遊技機の裏に取り込まれる。そして、この切換え手段は通常は先読み演出役物に進入出来ないようになっており、先読み演出内容決定手段により先読み演出役物を利用して先読み演出を行うと決定された場合にのみ切換え手段は普通入賞口に入球した遊技球が先読み演出役物に進入可能になるように切り替わる。
なお、入球したことで先読み演出役物に進入可能な普通入賞口は一つだけでもよいが複数あったほうが趣向性が増す。
【手続補正９】
【補正対象書類名】明細書
【補正対象項目名】００１５
【補正方法】変更
【補正の内容】
【００１５】
請求項２記載の構成では、普通図柄抽選手段による抽選で当選した場合に開放される所定入賞口に始動口スイッチを設け、現在の遊技状態が開放延長状態であることを条件に先読み演出役物を利用して先読み演出が行われる。開放延長状態中は所定入賞口の開放時間が長いので所定入賞口に多くの遊技球が入球する（多くの用済み球が貯留装置によって貯留されやすい）。請求項１記載の先読み演出役物を利用した先読み演出は貯留装置によって用済み球が多く貯留されるにつれ、効果も増していくので、先読み演出役物を利用して先読み演出を行うときが開放延長状態であれば、先読み演出役物を利用した先読み演出の効果が十分に発揮できる。
【手続補正１０】
【補正対象書類名】明細書
【補正対象項目名】００１６
【補正方法】変更
【補正の内容】
【００１６】
請求項３記載の構成では、上記したように遊技者と遊技店の利益バランスを保ちつつ、メリハリのあるパチンコ遊技機になる。しかし、この構成は第１特別図柄の抽選よりも第２特別図柄の抽選を優先して行う構成であるので、第１始動口スイッチが取得した乱数値について先読み演出役物を利用して先読み演出を行う場合、先読み演出中に第２特別図柄保留手段に取得した乱数値が記憶されてしまうと、第２特別図柄保留手段に記憶されている乱数値について優先して特別図柄抽選手段による抽選が行われるので、先読み演出が初めに予定していた回数よりも多くなってしまう（例えば、先読み演出を行うと決定された乱数値がハズレの値であったために、この先読み演出を行うと決定された乱数値にいての抽選結果を報知する１個前の特別図柄の変動中に先読み演出を行うと決めたにも係らず、この１個前の特別図柄の変動中に第２特別図柄保留手段に取得された乱数値が記憶されてしまうと、この第２特別図柄保留手段に記憶された乱数値の抽選結果を報知する特別図柄の変動中も先読み演出を行うことになり（第１特別図柄の抽選よりも第２特別図柄の抽選のほうが優先して行われるので）、結果的に先読み演出を行うと決定された乱数値についての抽選結果の報知である特別図柄の変動よりも２個前の特別図柄の変動中から先読み演出が行われたことになってしまう。つまり、先読み演出を決定した乱数値がハズレを示す値であったために、あまり、遊技者に期待を抱かせない先読み演出を実行しようと決めたのに、結果的には遊技者に大きな期待を抱かせる先読み演出になってしまう。）。また、第２特別図柄保留手段に記憶された乱数値が大当りとなる値であった場合には、先読み演出の途中にも係らず大当りが発生してしまい、先読み演出が意味のないものになってしまう。
しかし、第２始動口スイッチにより取得した乱数値について、先読み演出役物を利用して先読み演出を行う場合、この先読み演出を行うと決定した乱数値が特別図柄抽選手段によって抽選される時期は変化しないので、設定通りの先読み演出が可能になる。また、予定外に特別図柄の変動が行われないので先読み演出の途中に大当りになることはなく先読み演出が意味のないものにはならない。
【手続補正１１】
【補正対象書類名】明細書
【補正対象項目名】００１７
【補正方法】変更
【補正の内容】
【００１７】
請求項４記載の構成では、第１始動口スイッチに検出された用済み球だけでなく、他の入賞口に入球した遊技球（検出済みの用済み球）も先読み演出役物に進入可能し、それらの全ての遊技球（用済み球）を利用して先読み演出を行うので、遊技球を使用した先読み演出の効果が著しく増すことになる。